(57)【要約】【課題】物品を観賞可能に支持すると共に、優れたデザイン性を兼ね備えたスタンドを提供する。【解決手段】物品１００を支持するためのスタンド１は、底壁２と、底壁２から上方に延びる側壁３と、底壁２に沿って側壁３から突出する支持部４とを含む。支持部４には、物品１００を挿入するための上下に貫通した開口４１が形成される。底壁２と開口４１との間の少なくとも一部は、支持部４に支えられた物品１００を鑑賞可能に開放されている。【選択図】  図１
2019170527.tif 000002
【特許請求の範囲】
【請求項１】
物品を支持するためのスタンドであって、
底壁と、前記底壁から上方に延びる側壁と、前記底壁に沿って前記側壁から突出する支持部とを含み、
前記支持部には、前記物品を挿入するための上下に貫通した開口が形成され、
前記底壁と前記開口との間の少なくとも一部は、前記支持部に支えられた前記物品を鑑賞可能に開放されている、
スタンド。
【請求項２】
前記物品は、バナナを含む長尺状の食品である、請求項１に記載のスタンド。
【請求項３】
前記底壁には、前記物品の位置ずれを抑制するためのずれ抑制部が設けられている、請求項１又は２に記載のスタンド。
【請求項４】
前記ずれ抑制部は、複数の突部を含んでいる、請求項３記載のスタンド。
【請求項５】
前記複数の突部は、前記側壁に沿って延びている、請求項４記載のスタンド。
【請求項６】
前記複数の突部は、第１突部と、前記第１突部よりも大きい高さを有する第２突部とを含み、
前記第２突部は、前記側壁から最も離れた位置に設けられている、請求項４又は５に記載のスタンド。
【請求項７】
前記第２突部の前記側壁に沿う長さは、前記第１突部の前記側壁に沿う長さよりも小さい、請求項６記載のスタンド。
【請求項８】
前記側壁は、前記底壁の周囲に部分的に設けられることにより、前記側壁の周囲が部分的に開放されている、請求項１乃至７のいずれかに記載のスタンド。
【請求項９】
前記スタンドは、上下方向の軸線周りで互いに向きを変えて、前記支持部を重ねることにより、ネスティング状態で積み重ね可能に構成されている、請求項１乃至８のいずれかに記載のスタンド。
【請求項１０】
前記支持部の上面には、前記開口の周縁部に、すり鉢状の座ぐり部が形成され、前記支持部の下面には、前記開口の周縁部に、前記座ぐり部に嵌り合うテーパー部が形成されている、請求項９記載のスタンド。
【請求項１１】
前記側壁は、前記物品の側に、平面状の内表面を有し、
前記ネスティング状態で積み重ねられた隣り合うスタンドにおいて、
各内表面の法線は、平面視で７２゜以下の角度で交差可能である、請求項９又は１０に記載のスタンド。
【発明の詳細な説明】
【技術分野】
【０００１】
本発明は、物品を観賞可能な状態で支持するためのスタンドに関する。
【背景技術】
【０００２】
従来から、物品を支持するスタンドが、種々提案されている（例えば、特許文献１参照）。スタンドは、支持する物品に応じて、様々なバリエーションが存在する。近年では、バナナ等の長尺状の物品を観賞可能に支持すると共に、優れたデザイン性を兼ね備えたスタンドが要望されている。
【先行技術文献】
【特許文献】
【０００３】
【特許文献１】特開２０１８−０２３５６７号公報
【発明の概要】
【発明が解決しようとする課題】
【０００４】
本発明は、以上のような実状に鑑み案出されたもので、物品を観賞可能に支持すると共に、優れたデザイン性を兼ね備えたスタンドを提供することを主たる目的としている。
【課題を解決するための手段】
【０００５】
本発明は、物品を支持するためのスタンドであって、底壁と、前記底壁から上方に延びる側壁と、前記底壁に沿って前記側壁から突出する支持部とを含み、前記支持部には、前記物品を挿入するための上下に貫通した開口が形成され、前記底壁と前記開口との間の少なくとも一部は、これらに支えられた前記物品を鑑賞可能に開放されている。
【０００６】
本発明に係る前記スタンドにおいて、前記物品は、バナナを含む長尺状の食品である、ことが望ましい。
【０００７】
本発明に係る前記スタンドにおいて、前記底壁には、前記物品の位置ずれを抑制するためのずれ抑制部が設けられている、ことが望ましい。
【０００８】
本発明に係る前記スタンドにおいて、前記ずれ抑制部は、複数の突部を含んでいる、ことが望ましい。
【０００９】
本発明に係る前記スタンドにおいて、前記複数の突部は、前記側壁に沿って延びている、ことが望ましい。
【００１０】
本発明に係る前記スタンドにおいて、前記複数の突部は、第１突部と、前記第１突部よりも大きい高さを有する第２突部とを含み、前記第２突部は、前記側壁から最も離れた位置に設けられている、ことが望ましい。
【００１１】
本発明に係る前記スタンドにおいて、前記第２突部の前記側壁に沿う長さは、前記第１突部の前記側壁に沿う長さよりも小さい、ことが望ましい。
【００１２】
本発明に係る前記スタンドにおいて、前記側壁は、前記底壁の周囲に部分的に設けられることにより、前記側壁の周囲が部分的に開放されている、ことが望ましい。
【００１３】
本発明に係る前記スタンドにおいて、前記スタンドは、上下方向の軸線周りで互いに向きを変えて、前記支持部を重ねることにより、ネスティング状態で積み重ね可能に構成されている、ことが望ましい。
【００１４】
本発明に係る前記スタンドにおいて、前記支持部の上面には、前記開口の周縁部に、すり鉢状の座ぐり部が形成され、前記支持部の下面には、前記開口の周縁部に、前記座ぐり部に嵌り合うテーパー部が形成されている、ことが望ましい。
【００１５】
本発明に係る前記スタンドにおいて、前記側壁は、前記物品の側に、平面状の内表面を有し、前記ネスティング状態で積み重ねられた隣り合うスタンドにおいて、各内表面の法線は、平面視で７２゜以下の角度で交差可能である、ことが望ましい。
【発明の効果】
【００１６】
本発明のスタンドは、底壁と、側壁と、支持部とを含む。支持部には、上下に貫通した開口が形成されている。底壁と開口との間の少なくとも一部は、開放されている。開口に挿入された物品は、底壁と開口との間から鑑賞可能に支持されている。これにより、スタンドによって支持された物品を支持部の下方からも観賞可能となり、物品を引き立てる簡素で優れたデザインを実現することが可能となる。
【図面の簡単な説明】
【００１７】
【図１】本発明のスタンドの一実施形態を使用状態を示す斜視図である。
【図２】同スタンドの概略構成を示す斜視図である。
【図３】同スタンドの正面図である。
【図４】同スタンドの側面図である。
【図５】図３におけるＡ−Ａ線断面図である。
【図６】保管状態にある複数のスタンドを示す斜視図である。
【図７】同複数のスタンドの平面図である。
【発明を実施するための形態】
【００１８】
以下、本発明の実施の一形態が図面に基づき説明される。
図１は、使用状態における本実施形態のスタンドを示している。本スタンド１は、物品１００を支持するために用いられる。
【００１９】
本スタンド１は、バナナ１０１、キュウリ等の長尺状の食品の支持に特に適しているが、本スタンド１によって支持される物品１００は、長尺状の食品に限られない。例えば、卵等の長尺状ではない食品の支持にも使用でき、鉛筆やぺん等の食品以外の様々な物品１００にも使用されうる。
【００２０】
以下では、特に断りのない限り、物品１００の代表例としてバナナ１０１がスタンド１によって支持される場合について説明する。
【００２１】
図２は、スタンド１の斜視図であり、図３は、スタンド１の正面図であり、図４は、スタンド１の側面図である。スタンド１は、机やシステムキッチンの天板等に載置される底壁２と、底壁２から上方に延びる側壁３と、底壁２に沿って側壁３から突出して、スタンド１の天壁を構成する支持部４とを含んでいる。底壁２、側壁３及び支持部４は、一体に成形されている。
【００２２】
スタンド１は、例えば、合成樹脂を射出成形することにより形成される。スタンド１は、金属板をプレス加工することによっても形成されうる。スタンド１の表面は、塗装されていてもよい。
【００２３】
本実施形態では、底壁２、側壁３及び支持部４は、それぞれ、平板状に形成されている。そして、底壁２と側壁３とは略９０゜で交差し、側壁３と支持部４とは略９０゜で交差している。これにより、スタンド１のデザインが簡素化され、バナナ１０１の存在が引き立てられる。
【００２４】
図１及び２に示されるように、支持部４には、上下に貫通した開口４１が形成されている。開口４１には、バナナ１０１が挿入される。本実施形態の開口４１は、平面視で円形の貫通孔であるが、開口４１の形状はこれに限られない。また、開口４１の一部が、支持部４の周縁に達し、スタンド１の外部空間２００（図３、４参照）開放されていてもよい。底壁２と開口４１との間には、バナナ１０１を収容するための空間５が形成されている。
【００２５】
開口４１は、バナナ１０１を輪切りにした際の最大断面径よりも大きい内径にて形成されている。これにより、バナナ１０１の下端部１０２が底壁２によって支持される。すなわち、底壁２によってバナナ１０１の荷重の大部分が支えられ、支持部４によって、バナナ１０１の姿勢が支えられる。従って、バナナ１０１の側面１０３に生ずる圧力は、バナナ１０１の姿勢を維持する程度に限定され、側面１０３の痛みが抑制される。
【００２６】
物品１００として、卵やゴルフボール等が適用される場合、開口４１は、物品１００の最大断面径よりも小さい内径にて形成されていてもよい。これにより、物品１００を底壁２から浮かせた状態で支持することが可能となる。
【００２７】
底壁２と開口４１との間の少なくとも一部は、支持部４に支えられたバナナ１０１を鑑賞可能に開放されている。これにより、スタンド１によって支持されたバナナ１０１を支持部４の下方からも観賞可能となり、バナナ１０１を引き立てる簡素で優れたデザインを実現することが可能となる。
【００２８】
本実施形態では、側壁３が底壁２の周囲に部分的に設けられている。これにより、側壁３の周囲が部分的に開放され、スタンド１によって支持されたバナナ１０１の下部を観賞可能に露出させる。
【００２９】
より具体的には、空間５を挟んで側壁３とは反対側には、底壁２から支持部４にわたって開放され、スタンド１の外部空間２００と連通する第１連通部６１（側壁３が形成されていない部分）が形成されている（図４参照）。また、底壁２の周縁部２１に沿って、側壁３と第１連通部６１との間には、第１連通部６１から連続して開放され、外部空間２００と連通する第２連通部６２（側壁３が形成されていない部分）が形成されている（図３参照）。これにより、空間５は側壁３を除く周囲三方にわたって連続して開放され、バナナ１０１の露出度が高められる。
【００３０】
また、底壁２と側壁３とは、それぞれの端縁２２、３１で交差し、側壁３と支持部４とは、それぞれの端縁３２、４２で交差している。これにより、図４に示される側面視で、スタンド１の形状が概略コの字状となり、簡素なデザインが実現されうる。
【００３１】
端縁２２を側壁３の外側に延出させることにより、スタンド１のデザインのバリエーションが拡大される。同様に、端縁３２を支持部４の外側に延出させ又は端縁４２を側壁３の外側に延出させることにより、スタンド１のデザインのバリエーションが拡大される。
【００３２】
底壁２には、バナナ１０１の位置ずれを抑制するためのずれ抑制部２３が設けられている。ずれ抑制部２３は、バナナ１０１の下端部１０２と当接する。これにより、安定した姿勢でバナナ１０１を支持することが可能となる。
【００３３】
ずれ抑制部２３は、複数の突部２４を含んでいる。突部２４がバナナ１０１の下端部１０２と当接することにより、バナナ１０１の位置ずれが抑制され、安定した姿勢でバナナ１０１を支持することが可能となる。ずれ抑制部２３は、凹部（図示せず）を含んでいてもよい。
【００３４】
複数の突部２４は、側壁３に沿って水平方向に延びているのが望ましい。これにより、例えば、図３に示されるＡ−Ａ断面に沿って分割される金型を用いて、スタンド１を容易に製造することが可能となる。また、このような金型は、構成が簡素で安価である。
【００３５】
複数の突部２４は、第１突部２５と、第１突部２５よりも大きい高さを有する第２突部２６とを含んでいる。本実施形態の第２突部２６は、側壁３から最も離れた位置、すなわち、底壁２の周縁部２１のうち、側壁３に対向する領域に設けられている。これにより、バナナ１０１の下端部１０２が底壁２からはみ出すことが、効果的に抑制される。
【００３６】
第１突部２５は、側壁３から第２突部２６に向って、複数形成されている。これにより、ずれ抑制部２３の領域が容易に拡大され、バナナ１０１の位置ずれが抑制される。
【００３７】
第２突部２６の側壁３に沿う長さは、第１突部２５の側壁３に沿う長さよりも小さいのが望ましい。換言すると、第１突部２５の側壁３に沿う長さは、第２突部２６の側壁３に沿う長さよりも大きいのが望ましい。これにより、ずれ抑制部２３の領域が容易に拡大され、バナナ１０１の位置ずれが抑制される。
【００３８】
図６、７は、保管状態にある複数のスタンド１を示している。複数のスタンド１は、ネスティング状態で積み重ね可能に構成されている。これにより、複数のスタンド１が使用されない場合にあっては、各スタンド１をコンパクトに保管することが可能となる。
【００３９】
各スタンド１は、上下方向の軸線（本実施形態では、開口４１の中心を通る支持部４の法線）周りで互いに向きを変えて、支持部４を重ねることにより、ネスティングされる。本実施形態では、５つのスタンド１がネスティング状態で積み重ね可能に構成されている。
【００４０】
図２、５に示されるように、支持部４の上面には、開口４１の周縁部に、すり鉢状の座ぐり部４３が形成されている。一方、図３乃至５に示されるように、支持部４の下面には、開口４１の周縁部に、底壁２に向って縮径される先細状のテーパー部４４が形成されている。座ぐり部４３及びテーパー部４４は、互いに対応するように形成されている。すなわち、テーパー部４４は、別のスタンド１の座ぐり部４３に嵌り合うように形成されている。
【００４１】
複数のスタンド１をネスティングする際、座ぐり部４３とテーパー部４４とが嵌り合うことにより、互いの位置合わせが容易になされる。これにより、複数のスタンド１が正しい姿勢で容易に位置決めされるようになる。また、座ぐり部４３とテーパー部４４とが嵌り合うことにより、各スタンド１の相対的な位置ずれが抑制される。
【００４２】
図７に示されるように、側壁３は、バナナ１０１（空間５）の側に、平面状の内表面３３を有している。本実施形態では、ネスティング状態で積み重ねられた隣り合うスタンド１において、各内表面３３の法線３４は、平面視で７２゜以下の角度θで交差可能であるのが望ましい。このような構成によって、５つのスタンド１が、ネスティング状態で積み重ね可能とされる。なお、内表面３３が緩やかな曲面で構成されている場合は、法線３４は、例えば、内表面３３の中心から延びる直線として定義されうる。
【００４３】
なお、バナナ１０１の流通過程にあっては、５本を房として売買されることがある。このようなバナナ１０１の購入者は、バナナ１０１を分解し、本実施形態の５つのスタンド１に挿入して陳列でき、全てのバナナ１０１を食べた後、各スタンド１をネスティング状態でコンパクトに積み重ね可能である。
【００４４】
既に述べたように、第２突部２６の側壁３に沿う長さは、第１突部２５の側壁３に沿う長さよりも小さいのが望ましい。このような第２突部２６によって、図７等に示されるように、法線３４が、平面視で７２゜以下の角度θで容易に交差する構成とすることができる。
【００４５】
以上、本発明のスタンド１が詳細に説明されたが、本発明は上記の具体的な実施形態に限定されることなく種々の態様に変更して実施される。
【００４６】
例えば、本発明は、物品１００を支持するためのスタンド１であって、少なくとも、底壁２と、底壁２から上方に延びる側壁３と、底壁２に沿って側壁３から突出する支持部４とを含み、支持部４には、物品１００を挿入するための上下に貫通した開口４１が形成され、底壁２と開口４１との間の少なくとも一部は、支持部４に支えられた物品１００を鑑賞可能に開放されていればよい。
【符号の説明】
【００４７】
１      ：スタンド
２      ：底壁
３      ：側壁
４      ：支持部
２３    ：ずれ抑制部
２４    ：突部
２５    ：第１突部
２６    ：第２突部
３３    ：内表面
３４    ：法線
４１    ：開口
４３    ：座ぐり部
４４    ：テーパー部
６１    ：第１連通部
６２    ：第２連通部
１００  ：物品
１０１  ：バナナ
【図１】
2019170527.tif 000003
【図２】
2019170527.tif 000004
【図３】
2019170527.tif 000005
【図４】
2019170527.tif 000006
【図５】
2019170527.tif 000007
【図６】
2019170527.tif 000008
【図７】
2019170527.tif 000009